(57)【特許請求の範囲】
【請求項１】
雄コネクタハウジングにコネクタピンを貫通させて一体成形した雄コネクタと、
前記雄コネクタハウジングに嵌合する雌コネクタハウジングを有する雌コネクタとからなるコネクタ装置であって、
前記雄コネクタハウジングは、前記コネクタピンの貫通部分を通る切欠溝と該切欠溝の両端に連設された薄肉部とを有しており、該薄肉部を破断させることにより複数に分解可能にしたことを特徴とするコネクタ装置。
【請求項２】
雄コネクタハウジングを有する雄コネクタと、
前記雄コネクタハウジングに嵌合する雌コネクタハウジングを、コネクタピン受部及び電線導体挟持部を有する端子金具と一体成形した雌コネクタとからなるコネクタ装置であって、
前記雌コネクタハウジングは、前記端子金具が埋め込まれた端子金具埋込部と、前記端子金具に接続された電線を固定する電線固定部とを有し、該端子金具埋込部と電線固定部との間には左右に横断するように切欠溝を設けて機械的弱点部を形成し、かつ、前記端子金具埋込部の底部の、各端子金具の間に薄肉部を形成し、前記機械的弱点部と前記薄肉部とを破断させることにより複数に分解可能にしたものであることを特徴とするコネクタ装置。
【請求項３】
前記端子金具埋込部と電線固定部とを、上下方向に段差を付けて形成したことを特徴とする請求項２記載のコネクタ装置。
【発明の詳細な説明】
【０００１】
【発明の属する技術分野】
本発明は、プラスチック製のハウジングにコネクタピンを固定した雄コネクタと、該雄コネクタと嵌合するプラスチック製のハウジングに、上記コネクタピンを受ける端子金具を固定した雌コネクタとを有するコネクタ装置に関するものである。
【０００２】
【従来の技術】
図８は、従来のコネクタ装置を示す図である。図８において、１は雄コネクタハウジング、３はコネクタピン、８はスライド凸条、９は雌コネクタハウジング、１５はピンガイド孔、１７は隔壁、１８は電線固定片、１９はスライド凸条８を通すスライド溝、２０は端子金具である。
【０００３】
雄コネクタハウジング１は、トランスファー成形，射出成形等によるコネクタピン３，３，・・・との一体成形により、複数本のコネクタピン３が内外に貫通して埋め込まれている。雄コネクタハウジング１の先端部には、雌コネクタハウジング９の先端部を嵌め込む凹部が設けられ、その凹部内に各コネクタピン３の先端部が突出している。そして、コネクタピン３の他端は、プリント基板に差し込んで半田付けできるように、雄コネクタハウジング１の外部に突出している。
【０００４】
一方、雌コネクタハウジング９には、コネクタピン３に対応する位置にピンガイド孔１５が形成されており、その内側に、コネクタピン３を受ける端子金具２０が隔壁１７で仕切られながら設けられている。端子金具２０は、図９（イ），（ロ）に側面部と正面部を示すように、前後に２枚の板状部２１，２１を有しており、それらの板状部２１の中央上端から切り欠いた形で導体挟持部２２を設けている。そして、板状部２１，２１の下端部を連結する連結部２４の左右両側から前方に、コネクタピン受部２３，２３を突出させている。この雌コネクタハウジング９もトランスファー成形，射出成形等により、端子金具２０と一体成形される。
【０００５】
そして、図１０に示すように、絶縁被覆された電線３０の端部を、被覆を施したまま電線固定片１８及び端子金具２０の上から押し込むと、電線３０は、両側の電線固定片１８を押し分けてその下側に入り込み、その後は、電線固定片１８が元の位置に戻って、電線３０を上から押さえて、上側に抜け出ないように保持する。一方、電線３０の端子金具２０の上に位置する部分は、板状部２１，２１の導体挟持部２２内に押し込まれ、板状部２１，２１の端縁部で絶縁被覆が破られて、導体３１が板状部２１，２１に接触した状態で挟持される。
【０００６】
そのようにして雌コネクタに取り付けられた電線は、上下方向には、電線固定片１８によって動きが規制され、前後方向には端子金具２０の導体挟持部２２によって動きが規制されて、上下方向にも前後方向にも強固に固定される。
【０００７】
【発明が解決しようとする課題】
しかしながら、上記した従来のコネクタ装置では、リサイクルのためハウジングのプラスチックとコネクタピン３，端子金具２０等の金属部分を分別回収しようとする際に、ハウジング部分と金属部分とを分離するのが困難であるという問題点があった。すなわち、雄コネクタハウジング１とコネクタピン３、及び、雌コネクタハウジング９と端子金具２０とは一体成形されているため、分離に時間がかかる。しかも、雌コネクタに接続された電線も簡単には取り外すことができない。
【０００８】
本発明は、そのような問題点を解決し、使用していたコネクタ装置が不要になったとき、ハウジングのプラスチックと金属部分とを容易に分離できるようにして、資源のリサイクルを容易にすることを目的とするものである。
【０００９】
【課題を解決するための手段】
前記課題を解決するため、請求項１に記載のコネクタ装置は、雄コネクタハウジングにコネクタピンを貫通させて一体成形した雄コネクタと、前記雄コネクタハウジングに嵌合する雌コネクタハウジングを有する雌コネクタとからなるコネクタ装置であって、前記雄コネクタハウジングは、前記コネクタピンの貫通部分を通る切欠溝と該切欠溝の両端に連設された薄肉部とを有しており、該薄肉部を破断させることにより複数に分解可能にしたことを特徴とする。このようにすると、コネクタが不要になったとき、プラスチック製のハウジングと金属製のコネクタピンとを容易に分離できて、資源のリサイクルが可能になる。
【００１０】
そして、請求項２に記載のコネクタ装置は、雄コネクタハウジングを有する雄コネクタと、前記雄コネクタハウジングに嵌合する雌コネクタハウジングを、コネクタピン受部及び電線導体挟持部を有する端子金具と一体成形した雌コネクタとからなるコネクタ装置であって、前記雌コネクタハウジングは、前記端子金具が埋め込まれた端子金具埋込部と、前記端子金具に接続された電線を固定する電線固定部とを有し、該端子金具埋込部と電線固定部との間には左右に横断するように切欠溝を設けて機械的弱点部を形成し、かつ、前記端子金具埋込部の底部の、各端子金具の間に薄肉部を形成し、前記機械的弱点部と前記薄肉部とを破断させることにより複数に分解可能にしたものであることを特徴とする。このようにすると、雌コネクタからの電線の分離、及び、雌コネクタハウジングと端子金具との分離が容易になる。
【００１１】
また、請求項３に記載のコネクタ装置は、前記端子金具埋込部と電線固定部とを、上下方向に段差を付けて形成したことを特徴とする。このようにすると、雌コネクタに上下から圧力をかけるだけで雌コネクタからの電線の分離ができる。
【００１２】
【発明の実施の形態】
以下、本発明の実施の形態を図面に基づいて詳細に説明する。
図１は、本発明のコネクタ装置における雄コネクタの斜視図である。図１において、１は雄コネクタハウジング、２は分離部、３はコネクタピン、４，５，６は切欠溝、７は薄肉部である。
【００１３】
本発明のコネクタ装置の雄コネクタハウジング１は、トランスファー成形，射出成形等によるコネクタピン３，３，・・・との一体成形により形成される。そしてその雄コネクタハウジング１には、端縁両側から薄肉部７を挟んで両端のコネクタピン３，３まで達する切欠溝４，５を、ハウジング内外を貫通させて形成し、さらに、前記コネクタピン３，３，・・・の間にも切欠溝６を形成し、それら切欠溝４，５，６により分離部２を形成している。
【００１４】
コネクタピン３は、図２に示すように、中央部に突起３ｃを有していて、その両側に、雄コネクタハウジング１の内側に突出して雌コネクタに差し込まれるコンタクト部３ａと、雄コネクタハウジング１の外側に突出して、プリント基板に差し込まれる基板差込部３ｂとを有している。そして、雄コネクタハウジング１と一体成形する際に、図３に開口側から見た状態で示すように、両側に突出した突起３ｃが、それぞれ、雄コネクタハウジング１と分離部２の中に埋め込まれるように配置する。その結果、コネクタピン３は、雄コネクタハウジング１，分離部２に固定されて、前後に引っ張っても抜け出ることはなくなる。また、雄コネクタハウジング１の材料としては、ナイロン系のプラスチックを用い、コネクタピン３と一体成形後、コネクタピン３と強固に接着しないようにしている。
【００１５】
この雄コネクタを分解する際には、分離部２の端部を上に強く引き上げる。その結果、薄肉部７，７が破断し、分離部２とコネクタピン３と接している部分が剥がれて、分離部２が雄コネクタハウジング１から分離される。その状態で、各コネクタピン３は、突起３ｃだけが雄コネクタハウジング１に埋め込まれているだけで、しかも両者は強固には接着していないため、雄コネクタハウジング１からコネクタピン３を容易に取り外すことができる。このようにして、雄コネクタハウジング１，分離部２とコネクタピン３，３，・・・との分離が容易に行える。
【００１６】
次に、雌コネクタについて説明する。
図４は、本発明のコネクタ装置における雌コネクタの斜視図である。符号は、図８のものに対応しており、１０は端子金具埋込部、１１は差込前端部、１２は電線固定部、１３，１４は切欠溝、１６は端子金具埋込部底部である。
【００１７】
本発明のコネクタ装置の雌コネクタでは、雌コネクタハウジングの端子金具埋込部１０と差込前端部１１及び電線固定部１２との間に、左右に横断する切欠溝１３，１４を形成している。さらに、図５に側面図を示すように、端子金具埋込部１０と差込前端部１１と電線固定部１２とに、互いに上下方向に段差を設けている。
【００１８】
すなわち、端子金具埋込部１０の端子金具埋込部底部１６と差込前端部１１の下端及び電線固定部１２の下端との間にＡだけの段差を設けている。また、端子金具埋込部１０の上端と電線固定部１２の上端との間にＢだけの段差を設け、さらに、差込前端部１１の上端と電線固定部１２の上端との間にＣだけの段差を設けている。そのため、雌コネクタの上下から圧力を加えると、まず、端子金具埋込部底部１６と電線固定部１２の上端との間に力が作用し、切欠溝１４により弱点部となっているＸ部分が破断する。そして、Ｘ部分が破断すると、電線固定片１８によって電線を固定している電線固定部１２が端子金具埋込部１０から分離され、雌コネクタに取り付けられている電線を端子金具２０に対して上方に引き上げることが可能になる。その結果、導体挟持部２２に挟持されている導体３１を取り外し、電線と雌コネクタとを分離させることが可能になる。
【００１９】
そして、Ｘ部分が破断した後、さらに圧力を加えると、次には、端子金具埋込部底部１６と差込前端部１１の上端との間に力が作用し、切欠溝１３により弱点部となっているＹ部分が破断する。そのようにして、雌コネクタは、電線が取り外される上に、三つの部分に分解される。その三つの部分の内、プラスチックと金属とが混在するのは、端子金具埋込部１０のみである。そこで、その端子金具埋込部１０の分解について説明する。
【００２０】
図６は、端子金具埋込部を示す図である。符号は、図４，図９のものに対応している。端子金具２０は、左右両端部を上端部を含めて隔壁１７の中に埋め込んだ形で一体成形されている。そして、端子金具２０の横方向中央部に位置する端子金具埋込部底部１６には、薄肉部１６ａを設けている。さらに、端子金具埋込部１０，差込前端部１１及び電線固定部１２よりなる雌コネクタハウジングを構成する材料は、雄コネクタハウジング１と同様に、ナイロン系のプラスチックを用いていて、端子金具２０と一体成形後、端子金具２０と強固に接着しないようにしている。
【００２１】
そのような、端子金具埋込部１０は、前後にあった差込前端部１１と電線固定部１２とが切り離されているため、隔壁１７の上部を横に引っ張るだけで、薄肉部１６ａが破断する。そして、隔壁１７と端子金具２０とは強固に接着されていないため、両者は簡単に分離される。このようにして、雌コネクタの分解及びプラスチックと金属部分との分離を容易に行うことができる。
【００２２】
次に、接続した雄コネクタと雌コネクタとが外れるのを防止するためのロック機構について説明する。
図７は、コネクタ装置のロック機構の例を示す図であり、図７（イ），（ロ）は、それぞれ、異なる例を示している。符号は、図１，図４のものに対応しており、２５は係止孔、２６は係止突起、２７は係合片、２８は係合爪、２９はノッチ部である。
【００２３】
図７（イ）のロック機構では、雄コネクタハウジング１の左右両側面に係止孔２５を設け、雌コネクタの端子金具埋込部１０の左右両側面に係止突起２６を設け、係止突起２６を係止孔２５に係止させることにより、接続した雄コネクタと雌コネクタとが外れないようにしている。そのようなロック機構においては、係止突起２６の係止面の角度を９０°より大きくして、コネクタ装置をリサイクルするために雄コネクタと雌コネクタのロック状態を外す際に、通常より少し大きな力で引っ張ることにより、ロックが外れるようにしている。
【００２４】
一方、図７（ロ）のロック機構では、雄コネクタハウジング１の左右両側面に係合片２７を設け、雌コネクタの端子金具埋込部１０の左右両側面にＬ字型アームを介して係合爪２８を設け、係合片２７と係合爪２８に係合させることにより、接続した雄コネクタと雌コネクタとが外れないようにしている。そのようなロック機構においては、係合爪２８を取り付けているＬ字型アームにノッチ部２９を設けて、コネクタ装置をリサイクルするために雄コネクタと雌コネクタのロック状態を外す際に、所定以上の力で引っ張ることにより、ノッチ部２９が破断してロックが外れるようにしている。このようにすれば、リサイクル作業時に、雄コネクタと雌コネクタの係合を外すのが容易になる。
【００２５】
【発明の効果】
本発明は、以上説明したように構成されているので、次に記載するような効果を奏する。
すなわち、請求項１に記載のコネクタ装置は、雄コネクタハウジングに、各コネクタピンの貫通部分を通る切欠溝と該切欠溝の両端に連設された薄肉部とを設け、該薄肉部を破断させることにより複数に分解可能にしたので、コネクタが不要になったとき、プラスチック製のハウジングと金属製のコネクタピンとを容易に分離できて、資源のリサイクルが容易になる。
【００２６】
そして、請求項２に記載のコネクタ装置の雌コネクタハウジングは、端子金具が埋め込まれた端子金具埋込部と、前記端子金具に接続された電線を固定する電線固定部とを、両者の間に左右に横断するように設けた切欠溝を挟んで一体的に形成し、かつ、前記端子金具埋込部の底部の、各端子金具の間に薄肉部を形成し、前記切欠溝により形成された機械的弱点部と前記薄肉部とを破断させることにより分解可能にしたので、雌コネクタからの電線の分離、及び、雌コネクタハウジングと端子金具との分離が容易になる。
【００２７】
また、請求項３に記載のコネクタ装置は、端子金具埋込部と電線固定部とを、上下方向に段差を付けて形成したので、雌コネクタに上下から圧力をかけるだけで雌コネクタからの電線の分離ができる。
【図面の簡単な説明】
【図１】本発明のコネクタ装置における雄コネクタの斜視図である。
【図２】雄コネクタのコネクタピンの一例を示す図である。
【図３】雄コネクタを開口側から見た図である。
【図４】本発明のコネクタ装置における雌コネクタの斜視図である。
【図５】雌コネクタの側面図である。
【図６】端子金具埋込部を示す図である。
【図７】コネクタ装置のロック機構の例を示す図である。
【図８】従来のコネクタ装置を示す図である。
【図９】雌コネクタの端子金具を示す図である。
【図１０】雌コネクタへの電線固定部を示す図である。
【符号の説明】
１…雄コネクタハウジング
２…分離部
３…コネクタピン
４，５，６…切欠溝
７…薄肉部
９…雌コネクタハウジング
１０…端子金具埋込部
１３，１４…切欠溝
１５…ピンガイド孔
１６…端子金具埋込部底部
１７…隔壁
１８…電線固定片
２０…端子金具
２２…導体挟持部
２３…コネクタピン受部
【図１】
0003541304.tif 000002
【図２】
0003541304.tif 000003
【図３】
0003541304.tif 000004
【図４】
0003541304.tif 000005
【図５】
0003541304.tif 000006
【図６】
0003541304.tif 000007
【図７】
0003541304.tif 000008
【図８】
0003541304.tif 000009
【図９】
0003541304.tif 000010
【図１０】
0003541304.tif 000011